【手続補正書】
【提出日】平成17年6月29日(2005.6.29)
【手続補正１】
【補正対象書類名】明細書
【補正対象項目名】特許請求の範囲
【補正方法】変更
【補正の内容】
【特許請求の範囲】
【請求項１】
複数の無線チャネルの利用が可能、もしくは１つの無線チャネルに複数の信号を空間分割多重することが可能、もしくは複数の無線チャネルの利用が可能でありそれぞれの無線チャネルに複数の信号を空間分割多重することが可能な２つの無線局の間で無線通信を行い、複数のデータパケットを前記無線局同士の間で伝送するための無線パケット通信方法において、
規格で定められた標準フォーマットとは異なる特殊フォーマットのデータパケットに対応した無線局が、前記特殊フォーマットのデータパケットを送信する場合には、常に複数のデータパケットを並列に送信し、
前記特殊フォーマットのデータパケットに対応した無線局がデータパケットを受信する場合には、他の同一の無線局から複数のデータパケットをほぼ同時に受信した場合に限り、受信したデータパケットを前記特殊フォーマットの定義に従って処理する
ことを特徴とする無線パケット通信方法。
【請求項２】
請求項１の無線パケット通信方法において、
前記特殊フォーマットのデータパケットに対応した無線局は、自局が前記特殊フォーマットの通信に対応しているか否かを表す通信モード情報を、データ伝送を開始する前に相手の無線局に通知して、前記通信モード情報を相手の無線局毎に管理し、
前記特殊フォーマットの通信が可能な第１の無線局がデータパケットを送信する場合には、自局が管理している前記通信モード情報に従って、送信先の第２の無線局が前記特殊フォーマットの通信に対応しているか否かを識別し、第２の無線局が前記特殊フォーマットの通信に対応していない場合には標準フォーマットのみを利用する
ことを特徴とする無線パケット通信方法。
【請求項３】
請求項２の無線パケット通信方法において、
前記特殊フォーマットの通信が可能な第１の無線局が、前記特殊フォーマットの通信が可能な第２の無線局に対してデータパケットを送信する場合に、前記第１の無線局は、１つのデータフレームのデータ領域を分割して形成される複数のデータブロックから複数のデータパケットを生成するとともに、前記データフレームを復元するために必要な情報を前記データパケットの中に含める
ことを特徴とする無線パケット通信方法。
【請求項４】
請求項２の無線パケット通信方法において、
前記特殊フォーマットの通信が可能な第１の無線局が、前記特殊フォーマットの通信が可能な第２の無線局に対してデータパケットを送信する場合に、前記第１の無線局は、１つのデータフレームのデータ領域を分割して形成される複数のデータブロックの一部分と他のデータフレームのデータ領域とを連結してデータパケットを生成するとともに、前記データフレームを復元するために必要な情報を前記データパケットの中に含める
ことを特徴とする無線パケット通信方法。
【請求項５】
請求項２の無線パケット通信方法において、
前記特殊フォーマットの通信が可能な第１の無線局が、前記特殊フォーマットの通信が可能な第２の無線局に対してデータパケットを送信する場合に、前記第１の無線局は、複数のデータフレームの各々のデータ領域から抽出された複数のデータブロックを連結し、前記データブロックに基づいてデータパケットに含めることが可能な最大サイズ以内のデータを格納したデータパケットを生成するとともに、前記データフレームを復元するために必要な情報を前記データパケットの中に含める
ことを特徴とする無線パケット通信方法。
【請求項６】
請求項２の無線パケット通信方法において、
前記特殊フォーマットの通信が可能な第１の無線局が、他の第２の無線局に対して前記通信モード情報を送信する場合には、前記特殊フォーマットの通信に対応しない無線局が認識不可能な状態に加工されたデータパケットを確認パケットとして送信し、
前記第１の無線局は、前記確認パケットに対して応答を返した第２の無線局のみを前記特殊フォーマットの通信に対応しているものとみなす
ことを特徴とする無線パケット通信方法。
【請求項７】
請求項６の無線パケット通信方法において、
データパケットに伝送すべき情報を含むデータ領域と誤り検出コードを含むＦＣＳ領域とが含まれる場合に、
前記確認パケットを送信する第１の無線局は、正規の誤り検出コードに対して予め定めた第１の演算処理を施した結果を前記ＦＣＳ領域に格納し、
前記特殊フォーマットの通信が可能な無線局が受信したデータパケットのＦＣＳ領域に含まれる誤り検出コードの異常を検出した場合には、前記誤り検出コードに対して前記第１の演算処理と反対の第２の演算処理を施し、その結果から正規の誤り検出コードが検出された場合には前記確認パケットを受信したものとみなし、前記確認パケットの送信元の無線局に対して応答パケットを返す
ことを特徴とする無線パケット通信方法。
【請求項８】
複数の無線チャネルの利用が可能、もしくは１つの無線チャネルに複数の信号を空間分割多重することが可能、もしくは複数の無線チャネルにそれぞれ複数の信号を空間分割多重することが可能な２つの無線局の間で無線通信を行い、複数のデータパケットを前記無線局間で伝送するための無線パケット通信方法において、
前記無線局は２つの通信モードに対応し、
前記データパケットを送信する無線局（以下「送信局」）は、前記データパケットを受信する無線局（以下「受信局」）に第１の通信モードを選択させるときに、複数のデータパケットを前記複数の無線チャネルもしくは前記空間分割多重を用いて送信し、第２の通信モードを選択させるときに単一の無線チャネルで送信し、
前記受信局は、前記複数のデータパケットをほぼ同時に受信したときに前記第１の通信モードを選択し、それ以外の場合に前記第２の通信モードを選択する
ことを特徴とする無線パケット通信方法。
【手続補正２】
【補正対象書類名】明細書
【補正対象項目名】００２９
【補正方法】変更
【補正の内容】
【００２９】
【課題を解決するための手段】
請求項１は、複数の無線チャネルの利用が可能、もしくは１つの無線チャネルに複数の信号を空間分割多重することが可能、もしくは複数の無線チャネルの利用が可能でありそれぞれの無線チャネルに複数の信号を空間分割多重することが可能な２つの無線局の間で無線通信を行い、複数のデータパケットを前記無線局同士の間で伝送するための無線パケット通信方法において、規格で定められた標準フォーマットとは異なる特殊フォーマットのデータパケットに対応した無線局が、前記特殊フォーマットのデータパケットを送信する場合には、常に複数のデータパケットを並列に送信し、前記特殊フォーマットのデータパケットに対応した無線局がデータパケットを受信する場合には、他の同一の無線局から複数のデータパケットをほぼ同時に受信した場合に限り、受信したデータパケットを前記特殊フォーマットの定義に従って処理することを特徴とする。
【手続補正３】
【補正対象書類名】明細書
【補正対象項目名】００４１
【補正方法】変更
【補正の内容】
【００４１】
請求項７においては、送信される確認パケットのＦＣＳ領域に正規の誤り検出コードに第１の演算処理を施した結果が格納されているので、特殊フォーマットの通信に対応しない一般的な無線局がそれを受信した場合、誤り検出コードの不一致により確認パケットは破棄される。一方、特殊フォーマットの通信に対応する無線局は、受信した確認パケットの誤り検出コードが異常であると認識した場合、この誤り検出コードに第２の演算処理を施した結果を再び調べる。第２の演算処理を施した結果が正規の誤り検出コードであった場合には、特殊フォーマットの通信に対応している無線局からの確認パケットであると見なすことができる。
請求項８は、複数の無線チャネルの利用が可能、もしくは１つの無線チャネルに複数の信号を空間分割多重することが可能、もしくは複数の無線チャネルにそれぞれ複数の信号を空間分割多重することが可能な２つの無線局の間で無線通信を行い、複数のデータパケットを前記無線局間で伝送するための無線パケット通信方法において、前記無線局は２つの通信モードに対応し、前記データパケットを送信する無線局（送信局）は、前記データパケットを受信する無線局（受信局）に第１の通信モードを選択させるときに、複数のデータパケットを前記複数の無線チャネルもしくは前記空間分割多重を用いて送信し、第２の通信モードを選択させるときに単一の無線チャネルで送信し、前記受信局は、前記複数のデータパケットをほぼ同時に受信したときに前記第１の通信モードを選択し、それ以外の場合に前記第２の通信モードを選択する。